(57)【特許請求の範囲】
【請求項１】
少なくとも１つのコンデンサ、前記コンデンサの一方の電気接続部に対して電気的に接続される接地導体、及び、前記コンデンサの他方の電気接続部に対して電気的に接続されるコンデンサ側導体を有するコンデンサ側収容体と、
少なくとも１つのインダクタ及び当該インダクタに対して電気的に接続されるインダクタ側導体を有するインダクタ側収容体と、
前記コンデンサ側収容体に設けた第１係合部及び前記インダクタ側収容体に設けた第２係合部を有し、前記第１係合部と前記第２係合部とを互いに係合させることによって、前記コンデンサ側収容体と前記インダクタ側収容体とを接続させる収容体接続構造と、
前記コンデンサ側導体の端子接続部に連結端子金具の一方の端子接続部を接続させ、かつ、前記インダクタ側導体の端子接続部に前記連結端子金具の他方の端子接続部を接続させることによって、前記コンデンサと前記インダクタとを電気的に接続させると共に、前記コンデンサ側収容体と前記インダクタ側収容体とを接続させる少なくとも１つの端子接続構造と、
を備えることを特徴としたノイズフィルタ。
【請求項２】
前記コンデンサ側導体の前記端子接続部と前記連結端子金具の一方の前記端子接続部は、その内の一方が雄タブ端子であり、かつ、他方が雌型のボックス端子であり、
前記インダクタ側導体の前記端子接続部と前記連結端子金具の他方の前記端子接続部は、その内の一方が雄タブ端子であり、かつ、他方が雌型のボックス端子であることを特徴とした請求項１に記載のノイズフィルタ。
【請求項３】
前記端子接続構造は、前記コンデンサの数量毎に設けることを特徴とした請求項１又は２に記載のノイズフィルタ。
【請求項４】
ノイズフィルタと、
前記ノイズフィルタから引き出された入力側と出力側のそれぞれの電線と、
を備え、
前記ノイズフィルタは、
少なくとも１つのコンデンサ、前記コンデンサの一方の電気接続部に対して電気的に接続される接地導体、及び、前記コンデンサの他方の電気接続部に対して電気的に接続されるコンデンサ側導体を有するコンデンサ側収容体と、
少なくとも１つのインダクタ及び当該インダクタに対して電気的に接続されるインダクタ側導体を有するインダクタ側収容体と、
前記コンデンサ側収容体に設けた第１係合部及び前記インダクタ側収容体に設けた第２係合部を有し、前記第１係合部と前記第２係合部とを互いに係合させることによって、前記コンデンサ側収容体と前記インダクタ側収容体とを接続させる収容体接続構造と、
前記コンデンサ側導体の端子接続部に連結端子金具の一方の端子接続部を接続させ、かつ、前記インダクタ側導体の端子接続部に前記連結端子金具の他方の端子接続部を接続させることによって、前記コンデンサと前記インダクタとを電気的に接続させると共に、前記コンデンサ側収容体と前記インダクタ側収容体とを接続させる少なくとも１つの端子接続構造と、
を備えることを特徴としたワイヤハーネス。
【発明の詳細な説明】
【技術分野】
【０００１】
本発明は、ノイズフィルタ及びワイヤハーネスに関する。
【背景技術】
【０００２】
従来、電気回路やワイヤハーネス等に乗った電気的なノイズを低減させるノイズフィルタが知られている。ノイズフィルタは、そのようなノイズの低減を行う素子として、コンデンサ等のノイズ低減素子を少なくとも１つ備えている。例えば、この種のノイズフィルタは、下記の特許文献１−５に開示されている。
【先行技術文献】
【特許文献】
【０００３】
【特許文献１】特許第５４９６５６０号公報
【特許文献２】特許第５３７１５３５号公報
【特許文献３】特許第５１７３８５９号公報
【特許文献４】特許第４８５０１８１号公報
【特許文献５】国際公開第２０１０／１３７４９２号
【発明の概要】
【発明が解決しようとする課題】
【０００４】
ところで、ノイズフィルタは、低減の対象となるノイズの特性（周波数帯域等）に応じて、ノイズ低減素子の種類や数量等の仕様が決められる。このため、ノイズフィルタには、上記の特許文献４及び５に示すように、ノイズ低減素子として、コンデンサの他にインダクタが設けられたものも存在する。インダクタは、金属製の鉄心と当該鉄心に巻き付けたコイルとを備えているので、ノイズフィルタにおいて相対的に重量物となっている。従って、コンデンサを収容する筐体とインダクタを収容する筐体とが別体になっている場合、この種のノイズフィルタにおいては、耐久性を向上させる上で、筐体間の接合強度を確保する必要がある。
【０００５】
そこで、本発明は、耐久性の向上が可能なノイズフィルタ及びワイヤハーネスを提供することを、その目的とする。
【課題を解決するための手段】
【０００６】
上記目的を達成する為、本発明に係るノイズフィルタは、少なくとも１つのコンデンサ、前記コンデンサの一方の電気接続部に対して電気的に接続される接地導体、及び、前記コンデンサの他方の電気接続部に対して電気的に接続されるコンデンサ側導体を有するコンデンサ側収容体と、少なくとも１つのインダクタ及び当該インダクタに対して電気的に接続されるインダクタ側導体を有するインダクタ側収容体と、前記コンデンサ側収容体に設けた第１係合部及び前記インダクタ側収容体に設けた第２係合部を有し、前記第１係合部と前記第２係合部とを互いに係合させることによって、前記コンデンサ側収容体と前記インダクタ側収容体とを接続させる収容体接続構造と、前記コンデンサ側導体の端子接続部に連結端子金具の一方の端子接続部を接続させ、かつ、前記インダクタ側導体の端子接続部に前記連結端子金具の他方の端子接続部を接続させることによって、前記コンデンサと前記インダクタとを電気的に接続させると共に、前記コンデンサ側収容体と前記インダクタ側収容体とを接続させる少なくとも１つの端子接続構造と、を備えることを特徴としている。
【０００７】
ここで、前記コンデンサ側導体の前記端子接続部と前記連結端子金具の一方の前記端子接続部は、その内の一方が雄タブ端子であり、かつ、他方が雌型のボックス端子であり、前記インダクタ側導体の前記端子接続部と前記連結端子金具の他方の前記端子接続部は、その内の一方が雄タブ端子であり、かつ、他方が雌型のボックス端子であることが望ましい。
【０００８】
また、前記端子接続構造は、前記コンデンサの数量毎に設けることが望ましい。
【０００９】
また、上記目的を達成する為、本発明に係るワイヤハーネスは、ノイズフィルタと、前記ノイズフィルタから引き出された入力側と出力側のそれぞれの電線と、を備える。そして、前記ノイズフィルタは、少なくとも１つのコンデンサ、前記コンデンサの一方の電気接続部に対して電気的に接続される接地導体、及び、前記コンデンサの他方の電気接続部に対して電気的に接続されるコンデンサ側導体を有するコンデンサ側収容体と、少なくとも１つのインダクタ及び当該インダクタに対して電気的に接続されるインダクタ側導体を有するインダクタ側収容体と、前記コンデンサ側収容体に設けた第１係合部及び前記インダクタ側収容体に設けた第２係合部を有し、前記第１係合部と前記第２係合部とを互いに係合させることによって、前記コンデンサ側収容体と前記インダクタ側収容体とを接続させる収容体接続構造と、前記コンデンサ側導体の端子接続部に連結端子金具の一方の端子接続部を接続させ、かつ、前記インダクタ側導体の端子接続部に前記連結端子金具の他方の端子接続部を接続させることによって、前記コンデンサと前記インダクタとを電気的に接続させると共に、前記コンデンサ側収容体と前記インダクタ側収容体とを接続させる少なくとも１つの端子接続構造と、を備えることを特徴としている。
【発明の効果】
【００１０】
本発明に係るノイズフィルタ及びワイヤハーネスにおいては、収容体接続構造と少なくとも１つの端子接続構造とによって、コンデンサ側収容体とインダクタ側収容体とを強固に接続することができる。このため、このノイズフィルタ及びワイヤハーネスは、その接続部分の耐久性を向上させることができる。
【図面の簡単な説明】
【００１１】
【図１】図１は、実施形態のノイズフィルタとワイヤハーネスを示す斜視図である。
【図２】図２は、実施形態のノイズフィルタとワイヤハーネスの部品展開図である。
【図３】図３は、実施形態のノイズフィルタとワイヤハーネスにおいて蓋部を取り除いた状態での正面図である。
【図４】図４は、実施形態のコンデンサ側収容体において蓋部を取り除いた状態での正面図である。
【図５】図５は、実施形態のコンデンサ側収容体における接地導体と第１導体と第２導体とを示す正面図である。
【図６】図６は、実施形態のコンデンサ側収容体の側面図である。
【図７】図７は、実施形態のインダクタ側収容体において蓋部を取り除いた状態での正面図である。
【図８】図８は、実施形態のインダクタ側収容体における第１導体と第２導体と第３導体と放熱板とを示す正面図である。
【図９】図９は、実施形態のインダクタ側収容体を背面側から見た斜視図である。
【図１０】図１０は、実施形態におけるインダクタと高熱伝導率部材の変形例を示す斜視図である。
【図１１】図１１は、高熱伝導率部材の有無によるコイル表面温度について説明する図である。
【図１２】図１２は、ＬＣＬＣ回路構成を示す図である。
【図１３】図１３は、周波数毎の通過特性を示す図である。
【発明を実施するための形態】
【００１２】
以下に、本発明に係るノイズフィルタ及びワイヤハーネスの実施形態を図面に基づいて詳細に説明する。尚、この実施形態によりこの発明が限定されるものではない。
【００１３】
［実施形態］
図１から図３の符号１は、本実施形態のノイズフィルタを示す。また、その各図の符号ＷＨは、本実施形態のワイヤハーネスを示す。そのノイズフィルタ１は、少なくとも１つのコンデンサ１０と、少なくとも１つのインダクタ２０と、を備えるものである。このノイズフィルタ１は、第１電線３１と第２電線３２とに接続され、その内の一方の入力側の電線に乗っているノイズを除去して、他方の出力側の電線から出力する。
【００１４】
このノイズフィルタ１は、コンデンサ１０が収容されたコンデンサ側収容体４０と、インダクタ２０が収容されたインダクタ側収容体５０と、に大別される。この例示のノイズフィルタ１には、コンデンサ側収容体４０に第１及び第２のコンデンサ１１，１２が収容され、インダクタ側収容体５０に第１及び第２のインダクタ２１，２２が収容される。第１インダクタ２１は、環状の軸心（鉄心）２１ａと、この軸心２１ａに巻き付けたコイル２１ｂと、を有する。第２インダクタ２２は、環状の軸心２２ａと、この軸心２２ａに巻き付けたコイル２２ｂと、を有する。尚、インダクタ側収容体５０には、第３コンデンサ１３も収容される。
【００１５】
コンデンサ側収容体４０は、合成樹脂等の絶縁性材料によって成形された第１筐体４１を備える。第１筐体４１は、収容部４２と蓋部４３とで構成する。
【００１６】
収容部４２は、一面を開口させた箱状に成形される。この例示の収容部４２は、直方体状に成形されている。この収容部４２には、第１及び第２のコンデンサ１１，１２が重ね合わせて収容されるコンデンサ収容室４２ａと、後述する第１連結端子金具８１の一方の端子接続部８１ａが第１電線３１と共に収容される第１端子収容室４２ｂと、後述する第２連結端子金具８２の一方の端子接続部８２ａが第２電線３２と共に収容される第２端子収容室４２ｃと、が設けられている（図４）。コンデンサ収容室４２ａと第１端子収容室４２ｂと第２端子収容室４２ｃは、その順番で収容部４２の長手方向に並べて配置されている。
【００１７】
第１筐体４１（収容部４２）には、第１電線３１を第１端子収容室４２ｂから外部に引き出す挿通孔４１ａと、第２電線３２を第２端子収容室４２ｃから外部に引き出す挿通孔４１ｂと、が形成されている（図２及び図４）。尚、この例示では利用されないが、第１筐体４１（収容部４２）には、収容部４２の短手方向にて挿通孔４１ａに対向する位置で、電線（図示略）を第１端子収容室４２ｂから外部に引き出す挿通孔４１ｃと、その短手方向にて挿通孔４１ｂに対向する位置で、電線（図示略）を第２端子収容室４２ｃから外部に引き出す挿通孔４１ｄと、が形成されている。
【００１８】
蓋部４３としては、コンデンサ収容室４２ａの開口を塞ぐ第１蓋部４３Ａと、第１端子収容室４２ｂの開口を塞ぐ第２蓋部４３Ｂと、第２端子収容室４２ｃの開口を塞ぐ第３蓋部４３Ｃと、が設けられている（図１）。
【００１９】
更に、収容部４２は、接地導体６１と第１導体６２と第２導体６３とを備える（図５）。その接地導体６１と第１導体６２と第２導体６３は、板状の導電性材料（金属材料等）の成形体であるバスバとして各々成形されている。収容部４２は、その接地導体６１と第１導体６２と第２導体６３と共にインサート成形される。
【００２０】
接地導体６１は、車体等のような導電性部材（図示略）との電気的な接触部６１ａを有しており、この接触部６１ａを介して接地される。このコンデンサ側収容体４０において、その接触部６１ａは、第１筐体４１の外側に露出させている。この接触部６１ａに形成した貫通孔６１ａ１は、雄螺子部（図示略）が挿通される孔である。コンデンサ側収容体４０（ノイズフィルタ１）は、その貫通孔６１ａ１を介して導電性部材に螺子止めされる。
【００２１】
更に、この接地導体６１は、第１コンデンサ１１の一方の電気接続部１１ａとの電気的な接続が可能な第１接地側接続部６１ｂと、第２コンデンサ１２の一方の電気接続部１２ａとの電気的な接続が可能な第２接地側接続部６１ｃと、を有している。この例示の第１接地側接続部６１ｂと第２接地側接続部６１ｃは、コンデンサ収容室４２ａに露出させ、収容部４２の短手方向に、所定の間隔を空けて並列に配置している。接地導体６１においては、第１及び第２の接地側接続部６１ｂ，６１ｃに対して、収容部４２の長手方向に間隔を空けて接触部６１ａが配置されている。
【００２２】
電気接続部１１ａと第１接地側接続部６１ｂとの間の電気接続は、この技術分野において周知の方法を用いて行えばよい。例えば、電気接続部１１ａと第１接地側接続部６１ｂは、半田付けや溶着によって電気的に接続される。電気接続部１２ａと第２接地側接続部６１ｃとの間においても同様である。この例示の第１接地側接続部６１ｂと第２接地側接続部６１ｃは、各々貫通孔６１ｂ１，６１ｃ１を有している。電気接続部１１ａと電気接続部１２ａは、それぞれ貫通孔６１ｂ１，６１ｃ１に挿通され、半田付け等によって電気接続される。
【００２３】
第１導体６２は、第１コンデンサ１１の他方の電気接続部１１ｂとの電気的な接続が可能なコンデンサ接続部６２ａを有している。また、第２導体６３は、第２コンデンサ１２の他方の電気接続部１２ｂとの電気的な接続が可能なコンデンサ接続部６３ａを有している。そのコンデンサ接続部６２ａとコンデンサ接続部６３ａは、コンデンサ収容室４２ａに露出させ、収容部４２の短手方向に、所定の間隔を空けて並列に配置している。更に、この第１導体６２では、コンデンサ接続部６２ａが第１接地側接続部６１ｂに対して収容部４２の長手方向に並べて配置される。また、第２導体６３では、コンデンサ接続部６３ａが第２接地側接続部６１ｃに対して収容部４２の長手方向に並べて配置される。従って、コンデンサ側収容体４０においては、第１コンデンサ１１が先に接地導体６１と第１導体６２に接続され、その後、第２コンデンサ１２が第１コンデンサ１１に重ね合わせられた状態で接地導体６１と第２導体６３に接続される。
【００２４】
電気接続部１１ｂとコンデンサ接続部６２ａとの間の電気接続は、この技術分野において周知の方法を用いて行えばよい。例えば、電気接続部１１ｂとコンデンサ接続部６２ａは、半田付けや溶着によって電気的に接続される。電気接続部１２ｂとコンデンサ接続部６３ａとの間においても同様である。この例示のコンデンサ接続部６２ａ，６３ａは、各々貫通孔６２ａ１，６３ａ１を有している。電気接続部１１ｂと電気接続部１２ｂは、それぞれ貫通孔６２ａ１，６３ａ１に挿通され、半田付け等によって電気接続される。
【００２５】
更に、第１導体６２は、第１端子収容室４２ｂに露出させた端子接続部６２ｂを有する。その端子接続部６２ｂは、第１導体６２の主体部における板状面に対する直交方向に突出させ、後述する第１連結端子金具８１の端子接続部８１ａに対して電気的に接続される。それぞれの端子接続部６２ｂ，８１ａは、一方が雄型のタブ状に形成され、他方が雌型の箱状に形成される。この例示では、端子接続部６２ｂを雄タブ端子とし、端子接続部８１ａを雌型のボックス端子とする。
【００２６】
また、第２導体６３は、第２端子収容室４２ｃに露出させた端子接続部６３ｂを有する。その端子接続部６３ｂは、第２導体６３の主体部における板状面に対する直交方向に突出させ、後述する第２連結端子金具８２の端子接続部８２ａに対して電気的に接続される。それぞれの端子接続部６３ｂ，８２ａは、一方が雄型のタブ状に形成され、他方が雌型の箱状に形成される。この例示では、端子接続部６３ｂを雄タブ端子とし、端子接続部８２ａを雌型のボックス端子とする。
【００２７】
ここで、ノイズフィルタ１は、接地導体６１の貫通孔６１ａ１を介した螺子止めのみの場合、その貫通孔６１ａ１を中心とした導電性部材（車体）に対する回転方向への位置ずれを引き起こす可能性がある。そこで、第１筐体４１には、導電性部材に対する回転止めのための係止部４１ｅを設ける（図２及び図６）。その係止部４１ｅは、導電性部材の貫通孔（図示略）に挿通され、かつ、この貫通孔に保持されるクリップである。この例示の係止部４１ｅは、収容部４２の背面に形成した保持溝４１ｆに沿って所定位置まで挿入され、この保持溝４１ｆで保持される。
【００２８】
次に、インダクタ側収容体５０について説明する。このインダクタ側収容体５０は、合成樹脂等の絶縁性材料によって成形された第２筐体５１を備える。第２筐体５１は、収容部５２と蓋部５３とで構成する（図２）。
【００２９】
収容部５２は、一面を開口させた箱状に成形される。この例示の収容部５２は、方体状に成形されている。この収容部５２には、第１インダクタ２１が収容される第１インダクタ収容室５２ａと、第２インダクタ２２が収容される第２インダクタ収容室５２ｂと、第３コンデンサ１３が収容されるコンデンサ収容室５２ｃと、が設けられている（図３及び図７）。第１インダクタ収容室５２ａと第２インダクタ収容室５２ｂは、円環状の第１インダクタ２１と第２インダクタ２２の形状に合わせて円柱状に形成されている。蓋部５３は、その第１インダクタ収容室５２ａと第２インダクタ収容室５２ｂとコンデンサ収容室５２ｃのそれぞれの開口を塞ぐように成形されている。
【００３０】
更に、この収容部５２には、後述する第１連結端子金具８１の他方の端子接続部８１ｂが収容される第１端子収容室５２ｄと、後述する第２連結端子金具８２の他方の端子接続部８２ｂが収容される第２端子収容室５２ｅと、が設けられている。このノイズフィルタ１では、コンデンサ側収容体４０とインダクタ側収容体５０とが接続された際に、第１端子収容室４２ｂと第１端子収容室５２ｄとが隣接し、かつ、第２端子収容室４２ｃと第２端子収容室５２ｅとが隣接するように、これらの端子収容室を配置する（図３）。そこで、このノイズフィルタ１においては、第２蓋部４３Ｂが第１端子収容室５２ｄの開口も塞ぎ、第３蓋部４３Ｃが第２端子収容室５２ｅの開口も塞ぐ。
【００３１】
この収容部５２には、第１導体７１と第２導体７２と第３導体７３と放熱板７４とを設けている（図８）。その第１導体７１と第２導体７２と第３導体７３は、板状の導電性材料（金属材料等）の成形体であるバスバとして各々成形されている。また、放熱板７４は、板状の導電性材料（金属材料等）で成形されている。この放熱板７４には、熱伝導率の高い金属材料（銅板等）を用いる。これら第１導体７１と第２導体７２と第３導体７３と放熱板７４は、同一平面上に配置される。収容部５２は、その第１導体７１と第２導体７２と第３導体７３と放熱板７４と共にインサート成形される。
【００３２】
第１導体７１は、第１インダクタ２１におけるコイル２１ｂの一端との電気的な接続が可能なインダクタ接続部７１ａを有している。第２導体７２は、第２インダクタ２２におけるコイル２２ｂの一端との電気的な接続が可能なインダクタ接続部７２ａを有している。第３導体７３は、第１インダクタ２１におけるコイル２１ｂの他端との電気的な接続が可能なインダクタ接続部７３ａと、第２インダクタ２２におけるコイル２２ｂの他端との電気的な接続が可能なインダクタ接続部７３ｂと、を有している。これらの電気的な接続は、コンデンサ１０と同じように、貫通孔７１ａ１，７２ａ１，７３ａ１，７３ｂ１を介して例えば半田付け等によって行われる。第１インダクタ２１に関わるインダクタ接続部７１ａ，７３ａは、第１インダクタ収容室５２ａと収容部５２の外部とに露出させている（図７及び図９）。第２インダクタ２２に関わるインダクタ接続部７２ａ，７３ｂは、第２インダクタ収容室５２ｂと収容部５２の外部とに露出させている。
【００３３】
また、第１導体７１は、第１端子収容室５２ｄに露出させた端子接続部７１ｂを有する。その端子接続部７１ｂは、第１導体７１の主体部における板状面に対する直交方向に突出させ、後述する第１連結端子金具８１の端子接続部８１ｂに対して電気的に接続される。それぞれの端子接続部７１ｂ，８１ｂは、一方が雄型のタブ状に形成され、他方が雌型の箱状に形成される。この例示では、端子接続部７１ｂを雄タブ端子とし、端子接続部８１ｂを雌型のボックス端子とする。
【００３４】
また、第２導体７２は、第２端子収容室５２ｅに露出させた端子接続部７２ｂを有する。その端子接続部７２ｂは、第２導体７２の主体部における板状面に対する直交方向に突出させ、後述する第２連結端子金具８２の端子接続部８２ｂに対して電気的に接続される。それぞれの端子接続部７２ｂ，８２ｂは、一方が雄型のタブ状に形成され、他方が雌型の箱状に形成される。この例示では、端子接続部７２ｂを雄タブ端子とし、端子接続部８２ｂを雌型のボックス端子とする。
【００３５】
また、第３導体７３は、第３コンデンサ１３の一方の電気接続部１３ａとの電気的な接続が可能なコンデンサ接続部７３ｃを有する。その第３コンデンサ１３の他方の電気接続部１３ｂは、放熱板７４の後述するコンデンサ接続部７４ｃと電気的に接続される。これらの電気的な接続は、第１コンデンサ１１等と同じように、貫通孔７３ｃ１，７４ｃ１を介して例えば半田付け等によって行われる。そのコンデンサ接続部７３ｃ，７４ｃは、コンデンサ収容室５２ｃと収容部５２の外部とに露出させている（図７及び図９）。
【００３６】
放熱板７４は、収容部５２の壁部５２ｆ（図９）の全面に渡って存在させた板状の主体部７４ａと、この主体部７４ａと同一平面上で収容部５２から突出させた板状の突出部７４ｂと、を有する（図７−図９）。この例示では、主体部７４ａと突出部７４ｂをそれぞれ矩形に形成している。また、この例示では、突出部７４ｂの突出方向がインダクタ側収容体５０のコンデンサ側収容体４０に対する接続方向となる。
【００３７】
主体部７４ａには、貫通孔７４ａ１が形成されている（図８）。その貫通孔７４ａ１には、互いに間隔を空けて、第１導体７１と第２導体７２と第３導体７３とが配置されている。主体部７４ａは、第１インダクタ収容室５２ａに露出させた第１露出部７４ａ２と、第２インダクタ収容室５２ｂに露出させた第２露出部７４ａ３と、を有する（図７）。第１露出部７４ａ２と第２露出部７４ａ３は、円環状の第１インダクタ２１と第２インダクタ２２の形状に合わせて円形に形成されている。第１インダクタ２１と第２インダクタ２２は、その第１露出部７４ａ２と第２露出部７４ａ３から間隔を空けて配置する。第１露出部７４ａ２は、第１インダクタ収容室５２ａの空気の熱を奪うことができる。第２露出部７４ａ３は、第２インダクタ収容室５２ｂの空気の熱を奪うことができる。
【００３８】
主体部７４ａには、第３コンデンサ１３の他方の電気接続部１３ｂとの電気的な接続が可能なコンデンサ接続部７４ｃが形成されている。
【００３９】
突出部７４ｂは、インダクタ側収容体５０をコンデンサ側収容体４０に接続するための接続部として利用される。第１筐体４１（収容部４２）には、その突出部７４ｂが突出方向に挿入され且つ保持される保持溝４１ｇが形成されている（図２及び図６）。その保持溝４１ｇは、突出部７４ｂにおける対向する２つの辺部が各々嵌合されるものである。コンデンサ側収容体４０とインダクタ側収容体５０とは、その突出部７４ｂと保持溝４１ｇとによって接続される。このため、このノイズフィルタ１においては、車体へと取り付けた後、振動や車体からの入力によって接合状態が解除されないように、突出部７４ｂと保持溝４１ｇとの間の嵌合力（保持力）を設定する。
【００４０】
更に、このノイズフィルタ１においては、車体へと取り付けた後、振動や車体からの入力によって放熱板７４（具体的には突出部７４ｂ）が変形しないような放熱板７４（少なくとも突出部７４ｂ）の強度を確保する。例えば、放熱板７４（少なくとも突出部７４ｂ）は、そのような変形が起こらないような板厚に設定する。
【００４１】
また更に、コンデンサ側収容体４０とインダクタ側収容体５０とは、第１連結端子金具８１と第２連結端子金具８２とによって連結されている（図２及び図３）。第１連結端子金具８１と第２連結端子金具８２とは、板状の導電性材料（金属材料等）に対する折り曲げ加工等を行って成形されたものである。
【００４２】
第１連結端子金具８１は、コンデンサ側収容体４０における第１導体６２の端子接続部６２ｂとの電気的な接続が可能な端子接続部８１ａと、インダクタ側収容体５０における第１導体７１の端子接続部７１ｂとの電気的な接続が可能な端子接続部８１ｂと、を有する。この第１連結端子金具８１には、第１電線３１が圧着加工等によって電気的に接続されている。この第１連結端子金具８１は、第１コンデンサ１１と第１インダクタ２１とを電気的に接続させるだけでなく、コンデンサ側収容体４０とインダクタ側収容体５０とを接合させる構造物でもある。
【００４３】
第２連結端子金具８２は、コンデンサ側収容体４０における第２導体６３の端子接続部６３ｂとの電気的な接続が可能な端子接続部８２ａと、インダクタ側収容体５０における第２導体７２の端子接続部７２ｂとの電気的な接続が可能な端子接続部８２ｂと、を有する。この第２連結端子金具８２には、第２電線３２が圧着加工等によって電気的に接続されている。この第２連結端子金具８２は、第２コンデンサ１２と第２インダクタ２２とを電気的に接続させるだけでなく、コンデンサ側収容体４０とインダクタ側収容体５０とを接合させる構造物でもある。
【００４４】
このように、本実施形態のノイズフィルタ１及びワイヤハーネスＷＨは、コンデンサ側収容体４０の保持溝４１ｇとインダクタ側収容体５０の突出部７４ｂとによる収容体接続構造と、第１連結端子金具８１を介したコンデンサ側収容体４０の第１導体６２とインダクタ側収容体５０の第１導体７１との間の第１端子接続構造と、第２連結端子金具８２を介したコンデンサ側収容体４０の第２導体６３とインダクタ側収容体５０の第２導体７２との間の第２端子接続構造と、を有している。このため、このノイズフィルタ１及びワイヤハーネスＷＨは、コンデンサ側収容体４０とインダクタ側収容体５０とが強固に接続されることになり、例えば車両組み立て工場への搬送中や車体取り付け後の走行中に振動等の入力が加わったとしても、その接続の解除が抑制され、その接続部分の耐久性が向上する。これにより、信頼性の高いノイズフィルタ１の車両への実装が可能になる。
【００４５】
また、本実施形態のノイズフィルタ１及びワイヤハーネスＷＨは、コンデンサ側収容体４０とインダクタ側収容体５０との間で強固な接合強度を得ることができるので、ノイズフィルタ１の車体への固定を接地導体６１の貫通孔６１ａ１の１箇所だけで行ったとしても、コンデンサ側収容体４０とインダクタ側収容体５０との間の接続の解除が抑制される。つまり、このノイズフィルタ１及びワイヤハーネスＷＨは、車体への組付け工数を増加させずとも、コンデンサ側収容体４０とインダクタ側収容体５０との間を強固に繋げておくことができる。
【００４６】
ところで、上述した保持溝４１ｇは、突出部７４ｂの一方の板状面を第１筐体４１（収容部４２）の外部に露出させるよう形成されている。このため、放熱板７４は、その突出部７４ｂから外部の空気に放熱することができる。その突出部７４ｂの一方の板状面とは、接地導体６１の接触部６１ａにおける車体との接地面と同じ側に存在している。この例示では、接触部６１ａが車体に取り付けられた際に、その突出部７４ｂの板状面が車体に対して間隔を空けて向き合っている。
【００４７】
ここで、この突出部７４ｂには、貫通孔７４ｂ１が形成されている（図８）。その貫通孔７４ｂ１には、片持ちの板バネ部７４ｄが設けられている。その板バネ部７４ｄは、貫通孔７４ｂ１における主体部７４ａ側の端部から、突出部７４ｂの突出方向で且つ突出部７４ｂの一方の板状面と対向する車体に向けて突出させる（図６及び図９）。このため、この板バネ部７４ｄは、突出部７４ｂの一方の板状面よりも車体側に突出している。この板バネ部７４ｄは、接触部６１ａが車体に取り付けられた際に、車体から押動されて根元側を支点に傾倒し、その際に発生する弾発力によって車体との接触状態を保持する。このため、放熱板７４は、この板バネ部７４ｄを介して突出部７４ｂの熱を車体に逃がすことができる。
【００４８】
このノイズフィルタ１においては、通電に伴い、第１インダクタ２１で発生した熱が第１インダクタ収容室５２ａの空気に伝わると共に、第２インダクタ２２で発生した熱が第２インダクタ収容室５２ｂの空気に伝わる。そして、このノイズフィルタ１では、第１インダクタ収容室５２ａの空気の熱が主として放熱板７４の第１露出部７４ａ２に伝わると共に、第２インダクタ収容室５２ｂの空気の熱が主として放熱板７４の第２露出部７４ａ３に伝わる。その第１及び第２の露出部７４ａ２，７４ａ３の熱は、主に均熱効果によって放熱板７４の主体部７４ａで拡散すると共に、突出部７４ｂと板バネ部７４ｄに伝達される。その突出部７４ｂと板バネ部７４ｄからは、周囲の空気に放熱される。更に、板バネ部７４ｄからは、車体にも放熱される。このため、このノイズフィルタ１においては、第１インダクタ２１と第２インダクタ２２の温度上昇を抑えることができる。
【００４９】
また、このノイズフィルタ１においては、放熱板７４の主体部７４ａが収容部５２の壁部５２ｆの全面に渡って存在しているので、この主体部７４ａに接する壁部５２ｆに対して当該主体部７４ａの熱が伝わり、主体部７４ａよりも熱の拡散時間を要するが、その壁部５２ｆでも熱が拡散して収容部５２の外部に放熱される。更に、このノイズフィルタ１においては、第１インダクタ２１のコイル２１ｂの両端から第１導体７１と第３導体７３とに放熱され、かつ、第２インダクタ２２のコイル２２ｂの両端から第２導体７２と第３導体７３とに放熱される。その第１から第３の導体７１，７２，７３の熱は、それぞれが接している壁部５２ｆに伝わり、主体部７４ａよりも熱の拡散時間を要するが、その壁部５２ｆでも熱が拡散して収容部５２の外部に放熱される。このため、このノイズフィルタ１においては、これらの熱伝達経路を熱が伝わることでも、第１インダクタ２１と第２インダクタ２２の温度上昇を抑えることができる。
【００５０】
このように、本実施形態のノイズフィルタ１は、従来のようなコイルを経てインダクタの熱を放散させるのみならず、収容部５２の壁に占める割合の大きい放熱板７４を介して多くの熱を放散させることができる。このため、このノイズフィルタ１は、第１インダクタ２１と第２インダクタ２２の温度上昇を適切に抑えることができる。そして、これにより、このノイズフィルタ１は、第１インダクタ２１と第２インダクタ２２の温度上昇に伴う耐久性の低下を抑制することができる。また、このノイズフィルタ１は、過度に耐熱温度の高い第１インダクタ２１と第２インダクタ２２を用いる必要が無くなるので、原価の低減をも図ることができる。更に、このノイズフィルタ１を有するワイヤハーネスＷＨにおいては、そのノイズフィルタ１によって得られた作用効果と同等のものを得ることができる。
【００５１】
ここで、第１インダクタ収容室５２ａと第２インダクタ収容室５２ｂにおいては、第１インダクタ２１と第２インダクタ２２とが各々室内の空気に触れた状態にある。このため、第１インダクタ２１と第２インダクタ２２からの放熱は、その空気の熱伝導率の影響を受ける。換言するならば、第１インダクタ２１と第２インダクタ２２は、接触している物質の熱伝導率が高い程、放熱し易くなる。
【００５２】
そこで、第１インダクタ２１と第２インダクタ２２は、空気よりも熱伝導率が高く且つ絶縁性を有する高熱伝導率部材２５にコイル２１ｂ，２２ｂの接点部（両端）を除いて埋め込み、その接点部を除いた全ての外壁面を高熱伝導率部材２５に接触させることによって、放熱効果を高めることが望ましい（図１０）。その高熱伝導率部材２５は、例えば、２分割されている内部空間が円柱の樹脂金型に第１インダクタ２１又は第２インダクタ２２を配置し、その内部空間に高熱伝導率で絶縁性及び耐熱性を備えたポッティング材料を充填させることによって成形する。そのポッティング材料としては、例えば、ウレタン樹脂、各種フィラーが添加されたプラスチック材料やセラミック材料、ガラス、アスファルト、コンクリート等が考えられる。ポッティング材料は、第１インダクタ２１や第２インダクタ２２の体格や放熱量等に応じて適宜選択すればよい。
【００５３】
図１１には、第１インダクタ２１又は第２インダクタ２２に対する通電時間とコイル２１ｂ，２２ｂの表面温度との関係を示している。本図では、実線が高熱伝導率部材２５を有する場合を示し、破線が高熱伝導率部材２５を具備しない場合（つまり第１インダクタ２１又は第２インダクタ２２が空気に触れている場合）を示している。本図によれば、高熱伝導率部材２５を設けることで、第１インダクタ２１と第２インダクタ２２が空気に直接触れている場合よりも、コイル２１ｂ，２２ｂの温度上昇が抑えられていることが判る。よって、このノイズフィルタ１は、高熱伝導率部材２５を設けることで、第１インダクタ２１と第２インダクタ２２の温度上昇の更なる抑制効果を得ることができる。
【００５４】
［適用例］
以上示した構成はノイズフィルタ１の一例であり、このノイズフィルタ１は、少なくとも１つのコンデンサ１０を有するコンデンサ側収容体４０と、少なくとも１つのインダクタ２０を有するインダクタ側収容体５０と、を互いに接合させた接合体として構成される。そのコンデンサ側収容体４０は、更に、コンデンサ１０の一方の電気接続部（第１コンデンサ１１の電気接続部１１ａ、第２コンデンサ１２の電気接続部１２ａ）に対して電気的に接続される接地導体６１と、コンデンサ１０の他方の電気接続部（第１コンデンサ１１の電気接続部１１ｂ、第２コンデンサ１２の電気接続部１２ｂ）に対して電気的に接続されるコンデンサ側導体（第１導体６２、第２導体６３）と、を有している。そのコンデンサ側導体（第１導体６２、第２導体６３）には、電線（第１電線３１、第２電線３２）も電気的に接続されている。また、インダクタ側収容体５０は、更に、インダクタ２０（第１インダクタ２１、第２インダクタ２２）に対して電気的に接続されるインダクタ側導体（第１導体７１、第２導体７２）を有している。
【００５５】
そして、このノイズフィルタ１は、その接合のために、収容体接続構造と少なくとも１つの端子接続構造とを備える。収容体接続構造は、コンデンサ側収容体４０における第１係合部（例えば先に説明した保持溝４１ｇ）とインダクタ側収容体５０における第２係合部（例えば先に説明した突出部７４ｂ）とを互いに係合させることによって、コンデンサ側収容体４０とインダクタ側収容体５０とを接続させる。端子接続構造は、コンデンサ１０の数量毎に設けることが望ましい。この端子接続構造は、コンデンサ側導体の端子接続部（第１導体６２の端子接続部６２ｂ、第２導体６３の端子接続部６３ｂ）に連結端子金具の一方の端子接続部（第１連結端子金具８１の端子接続部８１ａ、第２連結端子金具８２の端子接続部８２ａ）を接続させ、かつ、インダクタ側導体の端子接続部（第１導体７１の端子接続部７１ｂ、第２導体７２の端子接続部７２ｂ）に連結端子金具の他方の端子接続部（第１連結端子金具８１の端子接続部８１ｂ、第２連結端子金具８２の端子接続部８２ｂ）を接続させることによって、そのコンデンサ１０とインダクタ２０を電気的に接続させると共に、コンデンサ側収容体４０とインダクタ側収容体５０とを接続させる。
【００５６】
このノイズフィルタ１は、例えば、車両のデフォッガのアース線（第１電線３１と第２電線３２）に接続され、ラジオの信号に乗る雑音（車載機器の電波に伴うもの）の除去に利用することができる。この場合のノイズフィルタ１には、ラジオの所定帯域で所定減衰量での減衰が求められる。しかしながら、このノイズフィルタ１においては、第１電線３１と第２電線３２の少なくとも一部が併走しており、その併走距離の分だけ寄生インダクタンスが増加して共振点がずれるので、所定帯域での減衰量が低下してしまう。
【００５７】
そこで、このノイズフィルタ１は、第１及び第２のコンデンサ１１，１２と第１及び第２のインダクタ２１，２２とで図１２に示す回路構成（ＬＣＬＣ回路構成）を構築し、この回路構成を次のように設定することで、第１電線３１と第２電線３２とが併走していたとしても、所定帯域で所定減衰量の減衰が可能な減衰特性を得られるようにする。
【００５８】
このノイズフィルタ１においては、容量Ｃ１，Ｃ２の異なる第１及び第２のコンデンサ１１，１２を用いる。第１コンデンサ１１の容量Ｃ１と第２コンデンサ１２の容量Ｃ２は、その内の何れの方が大きくてもよい。例えば、ここでは、第１コンデンサ１１の容量Ｃ１を第２コンデンサ１２の容量Ｃ２よりも小さくする（Ｃ１＜Ｃ２）。このノイズフィルタ１では、このように第１及び第２のコンデンサ１１，１２のそれぞれの容量Ｃ１，Ｃ２を変えることで、同一の容量Ｃ１，Ｃ２の第１及び第２のコンデンサ１１，１２を用いた場合では実現不可能な減衰特性を得ることができる。従って、その第１コンデンサ１１の容量Ｃ１と第２コンデンサ１２の容量Ｃ２は、入力側の第１電線３１と出力側の第２電線３２との間における所望の減衰特性に応じて決めることになる。
【００５９】
更に、このノイズフィルタ１においては、第１電線３１と第２電線３２の併走に伴う寄生インダクタンスＬｐよりも大きいインダクタンスＬ１，Ｌ２の第１及び第２のインダクタ２１，２２を用いる（Ｌ１＞Ｌｐ，Ｌ２＞Ｌｐ）。例えば、ここでは、第１インダクタ２１のインダクタンスＬ１を第２インダクタ２２のインダクタンスＬ２よりも大きくする（Ｌ１＞Ｌ２）。このノイズフィルタ１では、このように第１及び第２のインダクタ２１，２２のインダクタンスＬ１，Ｌ２を寄生インダクタンスＬｐよりも大きくすることで、第１電線３１と第２電線３２の併走距離に応じた寄生インダクタンスＬｐの増加に伴う減衰特性への影響をキャンセルすることができる。従って、その第１及び第２のインダクタ２１，２２のインダクタンスＬ１，Ｌ２は、第１電線３１と第２電線３２の併走によって寄生インダクタンスＬｐが増加したとしても、所望の減衰特性が得られるように、寄生インダクタンスＬｐに対する最小の差分を求めた上で決めることになる。
【００６０】
このノイズフィルタ１は、以上のように設定することで、所定帯域で所定減衰量の減衰が可能な所望の減衰特性を得ることができる（図１３）。図１３には、ラジオの周波数毎の通過特性を示している。本図では、第１電線３１と第２電線３２の併走が無い場合（破線）と、その併走が所定距離に渡って続いている場合（実線）と、を表している。
【符号の説明】
【００６１】
１  ノイズフィルタ
１０  コンデンサ
１１  第１コンデンサ
１１ａ，１１ｂ  電気接続部
１２  第２コンデンサ
１２ａ，１２ｂ  電気接続部
１３  第３コンデンサ
１３ａ，１３ｂ  電気接続部
２０  インダクタ
２１  第１インダクタ
２２  第２インダクタ
３１  第１電線
３２  第２電線
４０  コンデンサ側収容体
４１ｇ  保持溝（第１係合部）
５０  インダクタ側収容体
６１  接地導体
６２  第１導体（コンデンサ側導体）
６２ｂ  端子接続部
６３  第２導体（コンデンサ側導体）
６３ｂ  端子接続部
７１  第１導体（インダクタ側導体）
７１ｂ  端子接続部
７２  第２導体（インダクタ側導体）
７２ｂ  端子接続部
７３  第３導体
７４  放熱板
７４ｂ  突出部（第２係合部）
８１  第１連結端子金具
８１ａ，８１ｂ  端子接続部
８２  第２連結端子金具
８２ａ，８２ｂ  端子接続部
ＷＨ  ワイヤハーネス
【図１】
0006291463.tif 000002
【図２】
0006291463.tif 000003
【図３】
0006291463.tif 000004
【図４】
0006291463.tif 000005
【図５】
0006291463.tif 000006
【図６】
0006291463.tif 000007
【図７】
0006291463.tif 000008
【図８】
0006291463.tif 000009
【図９】
0006291463.tif 000010
【図１０】
0006291463.tif 000011
【図１１】
0006291463.tif 000012
【図１２】
0006291463.tif 000013
【図１３】
0006291463.tif 000014